(57)【要約】【課題】引掛け金具等を用いることなく、左右の支柱間に、パネルを安定的に支持させる。【解決手段】左右方向に並ぶ支柱２間に、上下両面に左右方向を向く係合溝２２を有する複数の支持レール１６を、上下方向に間隔を設けて取付け、両係合溝２２に嵌合可能な係合突条２９を有するパネル支持部材３０をパネル２７の上下の端面に取付け、前記上下の係合突条２９を前記上下に対向する係合溝２２に嵌合することにより、パネル２７を上下に隣接する支持レール１６により支持する。【選択図】        図４
2004270331.tif 000002
【特許請求の範囲】
【請求項１】
左右方向に並ぶ支柱間に、上下両面に左右方向を向く係合溝を有する複数の支持レールを、上下方向に間隔を設けて取付け、前記両係合溝に嵌合可能な係合突条を上下の端面に有するパネルを、該上下の係合突条を前記上下に対向する係合溝に嵌合することにより、上下に隣接する支持レールにより支持したことを特徴とする間仕切パネル装置。
【請求項２】
上下の係合溝に、それに着脱可能に嵌合可能な係合突条を備えるパネル支持部材を嵌合し、この上下のパネル支持部材により、パネルの上下両端を支持するようにした請求項１記載の間仕切パネル装置。
【請求項３】
係合溝を、奥部の前後方向の幅が開口部よりも大きい断面形状とするとともに、係合突条を、前記係合溝とほぼ補形をなす断面形状としてなる請求項１または２記載の間仕切パネル装置。
【請求項４】
支持レールの前後の端部の少なくともいずれか一方を、支柱の前後面のいずれか一方より突出させ、その突出部の上下両面に、係合溝を設けてなる請求項１〜３のいずれかに記載の間仕切パネル装置。
【請求項５】
支持レールの左右長を、左右に隣接する支柱の中心間の距離とほぼ等しくし、左右に隣接する支持レールの対向端部に形成した前後寸法が支柱の前後寸法よりも大きな切欠凹部を、支柱の両側方より嵌合させ、かつ両支持レールの対向端を当接することにより、各支持レールの係合溝を、左右方向に直線的に連続させてなる請求項１〜４のいずれかに記載の間仕切パネル装置。
【発明の詳細な説明】
【０００１】
【発明の属する技術分野】
本発明は、上下複数のパネルを、左右の支柱間に装着してなる間仕切パネル装置に係り、特に、パネルの支持構造に関する。
【０００２】
【従来の技術】
左右の支柱間にパネルを取付ける際は、両支柱の上下の対向面間に横杆を架設し、その上下の横杆に、パネルの裏面の上下部に取付けた引掛け金具を、上方より落とし込んで係止させて支持しているのが一般的である（例えば特許文献１参照）。
【０００３】
【特許文献１】
実公昭６１−１３６０９号公報
【０００４】
【発明が解決しようとする課題】
上記特許文献１に記載されている間仕切パネル装置では、パネルは、その自重により上下の横杆に支持されているだけであるので、地震等の振動により上下又は前後方向にがた付き易い。
【０００５】
また、パネルの裏面に引掛け金具を固定しなければならないので、工数増加によりコスト高を招き、かつガラスパネル等、パネルの種類によっては、引掛け金具を固定できないこともある。
【０００６】
本発明は、上記問題点に鑑みてなされたもので、引掛け金具等を用いることなく、種々のパネルを、左右の支柱間に安定的に支持しうるようにした、間仕切パネル装置を提供することを目的としている。
【０００７】
【課題を解決するための手段】
本発明によると、上記課題は、次のようにして解決される。
（１）  左右方向に並ぶ支柱間に、上下両面に左右方向を向く係合溝を有する複数の支持レールを、上下方向に間隔を設けて取付け、前記両係合溝に嵌合可能な係合突条を上下の端面に有するパネルを、該上下の係合突条を前記上下に対向する係合溝に嵌合することにより、上下に隣接する支持レールにより支持する。
【０００８】
（２）  上記（１）項において、上下の係合溝に、それに着脱可能に嵌合可能な係合突条を備えるパネル支持部材を嵌合し、この上下のパネル支持部材により、パネルの上下両端を支持するようにする。
【０００９】
（３）  上記（１）または（２）項において、係合溝を、奥部の前後方向の幅が開口部よりも大きい断面形状とするとともに、係合突条を、前記係合溝とほぼ補形をなす断面形状とする。
【００１０】
（４）  上記（１）〜（３）項のいずれかにおいて、支持レールの前後の端部の少なくともいずれか一方を、支柱の前後面のいずれか一方より突出させ、その突出部の上下両面に、係合溝を設ける。
【００１１】
（５）  上記（１）〜（４）項のいずれかにおいて、支持レールの左右長を、左右に隣接する支柱の中心間の距離とほぼ等しくし、左右に隣接する支持レールの対向端部に形成した前後寸法が支柱の前後寸法よりも大きな切欠凹部を、支柱の両側方より嵌合させ、かつ両支持レールの対向端を当接することにより、各支持レールの係合溝を、左右方向に直線的に連続させる。
【００１２】
【発明の実施の形態】
以下、本発明の一実施形態を、図面に基づいて説明する。
図１は、床面（Ｆ）と天井（Ｃ）間に立設された本発明の間仕切パネル装置の一部を示す正面図、図２は、同じく、前面のパネルを取外して示す下端部の拡大正面図、図３は、図１のＩＩＩ−ＩＩＩ線における拡大縦断側面図、図４は、同じく図１のＩＶ−ＩＶ線における拡大縦断側面図である。
【００１３】
間仕切パネル装置（１）における左右方向に並ぶ支柱（２）の下端には、接床可能なアジャスタ（３）が取付けられ、かつ各支柱（２）の下端部同士は、アジャスタ（３）を包覆しうる上向きコ字状断面の幅木（４）により連結されている。
【００１４】
また、各支柱（２）の上端同士は、天井（Ｃ）に圧接した笠木（５）により連結されている。
【００１５】
互いに隣接する支柱（２）間における最下部の前後の面には、スチールパネル（６）が、次のようにして取付けられている。
【００１６】
スチールパネル（６）は、図３に示すように、上下の端縁が内方に向かって側面視ほぼコ字状断面をなすように折曲されたパネル本体（７）と、その内面の上下の端部に固着された、側面視ほぼ内向Ｃ字状断面の補強片（８）（８）と、これら補強片（８）（８）間においてパネル本体（７）の内面中央に固着された、石膏ボード等よりなる芯材（９）とからなっている。
【００１７】
図２及び図３に示すように、互いに隣接する支柱（２）の下端部の対向面間には、最下部の前後のスチールパネル（６）の下端面を支持する外向水平片（１０ａ）（１０ａ）を下端に有するベース受支部材（１０）と、その上面に載置され、前後のスチールパネル（６）における下部の補強片（８）内において、その上片（８ａ）の下面を支持する外向水平片（１１ａ）（１１ａ）を有する下部受支部材（１１）とが、両支柱（２）の対向面にねじ（１３）止めしたＬ字状の取付金具（１２）の水平片（１２ａ）上に、ベース受支部材（１０）の両端部を受支し、両受支部材（１０）（１１）をねじ（１３）により共締めすることにより、一体的に横架されている。
【００１８】
上記両受支部材（１０）（１１）より上方に離間する個所において、左右の支柱（２）の対向面間には、前後のスチールパネル（６）の上端部、すなわち上部の補強片（８）における上片（８ａ）の内端の下向折曲片（８ｂ）を係止して支持する、側面視Ｕ字状の係止片（１４ａ）（１４ａ）を有する上部受支部材（１４）が、その両端部を、両支柱（２）の対向面にねじ（１３）止めした倒立Ｌ字状の取付金具（１５）の水平片（１５ａ）に載置してねじ（１３）により固定することにより、水平に横架されている。
【００１９】
前後のスチールパネル（６）は、その上部の補強片（８）の下向折曲片（８ｂ）を、上部受支部材（１４）の係止片（１４ａ）に上方より嵌合させるとともに、下部の補強片（８）の上片（８ａ）の下面とパネル本体（７）の下端とを、それぞれ下部受支部材（１１）の外向水平片（１１ａ）と、ベース受支部材（１０）の外向水平片（１０ａ）とにより支持することにより、支柱（２）（２）間の下部の前後面に取付けられている。
【００２０】
この際、下部受支部材（１１）の外向水平片（１１ａ）の上端部は、下部の補強片（８）における水平片（８ａ）の内端の下向折曲片（８ｂ）の内方に位置しているので、スチールパネル（６）の下端部が支柱（２）より離れるのが防止される。
【００２１】
隣接する支柱（２）（２）間に横架された各上部受支部材（１４）の上面には、左右長を、左右の支柱（２）の中心間の寸法とほぼ等しい長さとなるように、アルミニウム合金等の引抜き加工により形成された支持レール（１６）が、図５にも示すように、両端部に形成した切欠凹部（１６ａ）を、各支柱（２）の中央部まで嵌合させて、互いの対向端を突合わせることにより、水平かつ直線状に連続するようにして、複数のねじ（１７）により固定されている。
【００２２】
支持レール（１６）は、水平をなす取付基板（１８）の前後の端縁に、外上向きに起立する１対の吊支部（１９）（１９）が左右対称的に連設された、側面視概ね上向きコ字状断面をなしている。
【００２３】
支持レール（１６）の前後寸法は、前後のパネル（６）の前後面間の離間寸法と同等、もしくはそれよりもやや小としてある。
【００２４】
両吊支部（１９）の外面には、図４に拡大して示すように、開口部の垂下片（２０）の下面を半円状の曲面とするとともに、奥部を、垂下片（２０）の半円状曲面を中心として上向き円弧状に湾曲させてなる側面視ほぼ曲玉状断面の係止溝（２１）が、左右方向に全長に亘って形成されている。
【００２５】
また、両吊支部（１９）における平坦面をなす上下両面の中央部には、奥部に向かって漸次拡開するあり溝状の係合溝（２２）（２２）が、左右方向に全長に亘って形成されている。
【００２６】
図１及び図３に示すように、上記前後の吊支部（１９）の係止溝（２１）には、例えばアルミニウム合金等の引抜き加工により形成された棚（２３）等の付帯品が、その基部上端の角部に長手方向に全長に亘って突設された、係止爪（２４）と補形をなす係合爪（２４）を係止することにより、左右方向にスライド可能に取り付けられるようになっている。
【００２７】
図４に示すように、上記最下部の各支持レール（１６）の上方において、左右に隣接する支柱（２）の対向面間には、支柱（２）の前後寸法とほぼ等しい幅の下向コ字状断面をなす複数（本実施形態では３個）の支持杆（２５）の左右両端部が、上述と同様の倒立Ｌ字状の取付金具（１５）とねじ（１３）により、上下に所定間隔おきに固定されている。
【００２８】
各支持杆（２５）の上面には、上記と同形状の支持レール（１６）が、左右方向に連続するようにして、複数のねじ（１７）により固定されている。
【００２９】
（２６）は、各支持レール（１６）の上面中央の凹部内に嵌合された、下向コ字状断面の保持部材で、後記するガラスパネル（２７）の下端部が内方に位置ずれするのを防止するためのものである。
【００３０】
スチールパネル（６）の上方において、左右に隣接する支柱（２）間の前後面には、上下複数枚（３枚）のガラスパネル（２７）が、次のようにして取付けられている。
【００３１】
図４に拡大して示すように、ガラスパネル（２７）の上下の端面に、表面側の端部を保持する内向折曲片（２８）を外端縁に備え、かつ前後の各吊支部（１９）と対向する外面に、それに形成した係合溝（２２）と補形をなす係合突条（２９）を有する合成樹脂等よりなるパネル支持部材（３０）を、接着剤等により固着したのち、上下のパネル支持部材（３０）の係合突条（２９）を、上下に対向する係合溝（２２）に、側端よりスライドさせて嵌合させる。
【００３２】
これにより、ガラスパネル（２７）は、上下の支持レール（１６）により、支柱（２）の前後の面に近接した状態で、がたなく安定的に支持される。
【００３３】
上記ガラスパネル（２７）を取付ける際には、左右の支柱（２）間において上下に対向する個々の支持レール（１６）毎に取付けてもよいが、上下の支持レール（１６）における係合溝（２２）は、左右方向に直接的に連続しているので（図５参照）、全ての支持レール（１６）を支柱（２）に固定したのち、最側端に位置する支持レール（１６）における上下に対向する係合溝（２２）の側端より、順次ガラスパネル（２７）を嵌め込み、所定の位置までスライドさせて取付けることもできる。
【００３４】
以上説明したように、上記実施形態の間仕切パネル装置においては、上下に隣接する支持レール（１６）の対向面に、左右方向を向くあり溝状の係合溝（２２）を設け、両係合溝（２２）に、ガラスパネル（２７）の上下両端面に固着したパネル支持部材（３０）の係合突条（２９）を嵌合するだけの簡単な作業で、ガラスパネル（２７）を安定的に取付けることができる。
【００３５】
また、ガラスパネル（２７）自体には、何ら加工を施したり、従来のような引掛け金具等を取付けたりする必要がないので、それに要する工数やコストが削減される。
【００３６】
本発明は、上記実施形態に限定されるものではない。
上記実施形態の支持レール（１６）は、その前後の吊支部（１９）における上下両面に係合溝（２２）を有するものとしたが、ガラスパネル（２７）を、間仕切パネル装置の一方の面のみに取付けたり、前後いずれか一方をスチールパネル（６）やその他のパネルとしたりする際には、一方の上下の係合溝（２２）を省略することもある。
【００３７】
上下の支持レール（１６）の係合溝（２２）に取付け可能なパネルは、上記ガラスパネル（２７）に限定されるものではなく、アクリル等の合成樹脂パネルや木製パネルの外、表面をクロス張りしたスチールパネル等とすることもできる。
【００３８】
合成樹脂や木製パネルを用いる際には、それらの上下の端面に、係合突条（２９）を一体的に形成し、パネル支持部材（３０）を省略することもある。
【００３９】
上記実施形態では、各支持レール（１６）を、最下段のものは上部受支部材（１４）に、それより上方のものについては支持杆（２５）に、それぞれ固定しているが、ブラケット等により、各支柱（２）の対向面に直接固着してもよい。
【００４０】
パネル支持部材（３０）をガラスパネル（２７）の端面に固着しないで、先に支持レール（１６）にパネル支持部材（３０）を嵌合し、そののち、上下のパネル支持部材（３０）間にガラスパネル（２７）を嵌め込むようにしてもよい。
【００４１】
係合溝（２２）と、それに嵌合される係合突条（２９）の形状は、通常の方形の断面形状とすることもある。
【００４２】
【発明の効果】
請求項１記載の発明によれば、上下に隣接する支持レールの対向面の係合溝に、パネルの上下両端の係合突条を嵌合させるだけで、左右の支柱間に、パネルを安定的に支持することができる。
また、パネルに、従来のような引掛け金具を取付けたり、そのための加工を施したりする必要がないので、それに要する工数やコストを削減しうる。
【００４３】
請求項２記載の発明によれば、パネル自体に何ら加工を施す必要がないので、加工が困難なガラスパネル等を用いることができる。
【００４４】
請求項３記載の発明によれば、パネル取付後において、上下及び前後方向のがた付きは殆どなく、より安定的に支持される。
【００４５】
請求項４記載の発明によれば、支持レールを支柱に固定した後で、その上下に対向する係合溝に、その側方より、パネルの係合突条又はパネル支持部材の係合突条を容易にスライドさせて嵌合することができる。
【００４６】
請求項５記載の発明によれば、左右に隣接する支持レールが、実質的に連続した１個のレールとなり、かつ上下の係合溝も左右方向に直線的に連続しているため、パネルを、最側端に位置する支持レールの係合溝より順次嵌合して、所定の位置までスライドさせることができる。
また、パネルの左右長を、支柱の間隔や支持レール単体の長さに関係なく、任意に設定することもできる。
【図面の簡単な説明】
【図１】本発明の間仕切パネル装置の正面図である。
【図２】同じく、パネルを取外して示す下部側の拡大正面図である。
【図３】図１のＩＩＩ−ＩＩＩ線の拡大縦断側面図である。
【図４】同じく、図１のＩＶ−ＩＶ線の拡大縦断側面図である。
【図５】図２のＶ−Ｖ線の拡大縦断平面図である。
【符号の説明】
（１）間仕切パネル装置
（２）支柱
（３）アジャスタ
（４）幅木
（５）笠木
（６）パネル
（７）パネル本体
（８）補強片
（８ａ）上片
（８ｂ）下向折曲片
（９）芯材
（１０）ベース受支部材
（１０ａ）外向水平片
（１１）下部受支部材
（１１ａ）外向水平片
（１２）取付金具
（１２ａ）水平片
（１３）ねじ
（１４）上部受支部材
（１４ａ）係止片
（１５）取付金具
（１５ａ）水平片
（１６）支持レール
（１６ａ）切欠凹部
（１７）ねじ
（１８）取付基板
（１９）吊支部
（２０）垂下片
（２１）係止溝
（２２）係合溝
（２３）棚
（２４）係止爪
（２５）支持杆
（２６）保持部材
（２７）ガラスパネル
（２８）内向折曲片
（２９）係合突条
（３０）パネル支持部材
（Ｃ）天井
（Ｆ）床面
【図１】
2004270331.tif 000003
【図２】
2004270331.tif 000004
【図３】
2004270331.tif 000005
【図４】
2004270331.tif 000006
【図５】
2004270331.tif 000007